Podtech/llm-jp-corpus-v4-ja_patent huggingface dataset:
(57)【要約】      （修正有）【課題】、水位差が無い場合でも、流速が遅い場合でも、水深が変化しても、流れを利用し回転できる水車をつくる。【解決手段】水車の可動羽８を動羽軸に回動可能に固定し、所定の位置で、可動羽回転止によって可動羽８を止めることによって水流を受けとともに、その他の位置では、可動羽８が水流をうけて、抵抗が少ない側に可動羽軸を中心にして回動するようにした。【選択図】図２
2013249828.tif 000002
【特許請求の範囲】
【請求項１】
水車主軸を回転させるために、水車の外周ちかくに水流をうける羽を配置した形状の水車である。その水車の外周ちかくに羽取り付け用の可動羽軸を設けて可動羽軸を中心に可動羽は回転することができる。
【請求項２】
可動羽が水流を受けたとき、可動羽の回転を止めて可動羽軸とともに可動羽回転止が可動羽を支える。
【請求項３】
水車主軸・可動羽回転止・可動羽軸は水車の中心より外周に向けての同一線上に配置されている。
【請求項４】
可動羽水車の可動羽水車フレームは、板状のもの意外にアーム状にして流れの状況や環境合わせることができる。
【請求項５】
可動羽水車は、水深に影響されず、浅い水流から水車全体が水中に沈んでも回転することができる構造をもつ請求項１記載の水車。
【発明の詳細な説明】
【技術分野】
【０００１】本発明は、水流を利用して回転する水車に関する。
【背景技術】
【０００２】従来の水車は、水面の高低差を利用し落差により水車の回転をさせる方法が多く見られた例えば、特許文献１参照。この方法では水の高低差が無い場合は利用できない。【０００３】水流を利用している水車の場合でも、水車の下部の一部が水中にあり大半が水面より上に出ているため水車の直径が大きくなる。【０００４】設置場所が水面下の水中水車には、スクリュー式が多い。例えば、特許文献２参照。この場合、軸回転をさせるために一定の流速が必要になり流れの遅い所での利用が出来ない。
【先行技術文献】
【０００５】
【特許文献１】特許出願平６−４９７９５
【０００６】
【特許文献２】実用新案出願平４−８９８７１
【発明が解決しようとする課題】
【０００７】従来の水車は、水面の高低差が必要であり水流を利用水車の場合は水車自体が大型になるスクリュー式の水中水車は、水の流れに一定の速度が必要になる。
【発明の効果】
【０００８】本発明は、上記に述べた従来の問題を解決するものであり、水の流れる場所であれば可動羽水車は、潮の干満など水位変化がある場所の河川でも、水深を問わず水流を利用して水車を回し発電を含め各種の動力源になる。
【課題を解決するための手段】
【０００９】水車の羽が水中にあり音が外に出なく、水車が露出しないので周囲の美観を損なわず環境にやさしい。
【００１０】本発明の水車は、河川に堰などを設けず設置ができ、構造的に水流を受けている羽以外は流れに開放されているために河川の魚道が確保され、魚の遡上に影響が出にくい。
【００１１】本発明の可動羽水車は、水深が浅い小川から海の潮流まで回転することができる。水中での水車の回転は水流を受けている羽以外は抵抗が極めて低いので、僅かな水流でも回転をすることができる。可動羽水車は無公害で自然エネルギーの利用を実現するので、これからおおいに期待がもてる方法である。
【図面の簡単な説明】
【００１２】
【図１】本発明の可動羽水車の構造説明図である。
【図２】本発明の可動羽水車が水流を受けた場合の羽位置説明図である。
【図３】［図２］のＡ−Ａ線断面図である。
【発明を実施するための形態】
【００１３】図１においては、可動羽水車のフレーム板１を２枚１組で、水車主軸２や可動羽軸止３および可動羽軸４を固定している。
【００１４】可動羽５は可動羽軸４を中心に回転できるように固定せず取り付ける。
【００１５】図２において、矢印６は水の流れている方向を示す。矢印７は水車の回転方向を示す。
【００１６】図２においては、６枚の可動羽が水流を受けているときの可動羽の位置を示す。
８は水流を受けて可動羽は水平方向になっている。
９も８と同様に水流を受けて水平方向になっている。
１０は可動羽回転止め軸によって、２の水車主軸から水車の回転方向で３０度程傾斜している状態になる。
１１は２の水車主軸方向に可動羽は垂直になり、流れを最も受けている状態。
１２は水流を受けて一定の角度で可動羽は回転し、水流と水平方向になる。
１３は１２と同様に可動羽は水流と水平方向になる。
【００１７】図３においては、図２のＡ−Ａ断面を示す。
【００１８】本発明は上記目的のために、水流の水圧を受けている羽以外は水の流れに逆らうことなく、水流と相流できるように水車の羽を自由に動く様にしたものである。
【００１９】本発明の水車は、羽１枚の水深があれば水車の回転ができる、また水車全体が水中に浸されている様な場合でも、本発明の可動羽水車は回転することができる。
【００２０】本発明の可動羽水車は、水車の外周近くに可動羽の軸があり、ほぼ３６０度の回転角度がある。水の流を受けている羽を除き可動羽は水の流れと平行になり抵抗が少なくなる構造である。
【００２１】本発明の可動羽水車は、水の流れる方向にいくつも設置することができる従って一つの水流で、いくつもの水車を回すことができるので、水流の利用効率が極めて良い。
【００２２】本発明の可動羽水車は、流れの幅が広い水流に対しは、幅の広い羽に構造を変更できる。
また、横にいくつも連結することも可能である。
【００２３】上記の［００２１］と［００２２］の方法を併せて用いて、大きな水流の有る所に設置することで、より大きな動力を得ることができる。
【符号の説明】
【００２４】      １    可動羽水車フレーム板
２    水車主軸
３    可動羽回転止
４    可動羽軸
５    可動羽
６    水流方向
７    可動羽水車の回転方向
８    回転角度０度の上部位置での可動羽の状態
９    ６０度の回転をした場合の可動羽の状態
１０    １２０度の回転をした場合の可動羽の状態
１１    １８０度の回転をした場合の可動羽の状態
１２    ２４０度の回転をした場合の可動羽の状態
１３    ３００度の回転をした場合の可動羽の状態
【産業上の利用可能性】
【００２５】常に流れがある河川や排水路などでの小規模発電装置の他、軸回転動力としての利用することができ使用範囲が広い。【００２６】海の潮流を利用した場合は安定した大きな発電動力が得られる。【００２７】自然水流がある場所では、昼夜の別なく水車は回り続けるため、発電量の変化は無く安定して連続発電ができる。【００２８】水深が変化するような流れでも、可動羽が水流を受けられれば回転はできる。また可動羽水車が水没しても回転は停止すること無く回転ができる。【００２９】本発明の可動羽水車の水車主軸を、水平方向から垂直方向に変えても同様に水中で回転することができる。
【図１】
2013249828.tif 000003
【図２】
2013249828.tif 000004
【図３】
2013249828.tif 000005
(57)【要約】【課題】  従来の食肉の肉筋切り調理器具は、一回当りの肉筋切り処理範囲が狭く、同じ動作の繰返しで、肉筋切り処理効率も悪く時間も掛かり、調理経験者であっても、肉筋切り調理後の未処理部分が発生する。【解決手段】  肉筋切り刃１は、ローラー面３から突起させて多数取付けてあるので、ローラー２を食肉６上で回転移動させることにより、連続した肉筋切り処理動作となり、短時間に精度よく食肉６の肉筋切り調理ができる解決手段となる肉筋切り調理器具である。【選択図】図１
2013184051.tif 000002
【特許請求の範囲】
【請求項１】
ローラー面から突起させた先端が鋭利な肉筋切り刃を、多数取付けたことを特徴とする肉筋切り調理器具。
【請求項２】
前記の肉筋切り刃を、ローラーで回転移動させて連続した肉筋切り処理ができることを特徴とする、請求項１記載の肉筋切り調理器具。
【発明の詳細な説明】
【技術分野】
【０００１】  この発明は、食肉の調理に用いる肉筋切り調理器具に関する。
【背景技術】
【０００２】  従来の食肉の肉筋切り調理器具は、図３の従来技術を示す斜視図ように、包丁にて肉筋切り調理を行う、時間と経験を要する食肉の肉筋切り方法。
【先行技術文献】
【特許文献】
【０００３】
【特許文献１】特許公開２００７−８９８９４号公報
【非特許文献】
【０００４】
【非特許文献１】楽天市場ミートソフター（肉の筋切器）
【発明の概要】
【発明が解決しようとする課題】
【０００５】  このような従来からの食肉の肉筋切り調理器具は、一回当りの肉筋切り処理範囲が狭く、時間の掛かる同じ動作の繰返しで肉筋切り処理効率も悪く、調理経験者でも肉筋切り調理後の未処理部分が発生する。そこで、この発明は、肉筋の多い食肉を短時間で効率よく食べやすく、肉筋切り調理ができる調理器具を、提供することを課題とする。
【課題を解決するための手段】
【０００６】  上記課題を解決するために、第一発明は、ローラー面から突起させた先端が鋭利な肉筋切り刃を、多数取付けたことを特徴とする肉筋切り調理器具。また、第二発明は、肉筋切り刃を、ローラーで回転移動させて連続した肉筋切り処理ができることを特徴とする、肉筋切り調理器具。
【発明の効果】
【０００７】  第一発明は、ローラー面から突起させた先端が鋭利な肉筋切り刃を、多数取付けたことにより、一度に多くの肉筋切り処理ができる、発明の効果となる肉筋切り調理器具。また、第二発明は、多数取付けてある肉筋切り刃を、さらに、ローラーで回転移動させる簡単な動作で、連続した肉筋切り処理ができるため、短時間に精度よく食肉の肉筋切り調理ができる、発明の効果となる肉筋切り調理器具。
【図面の簡単な説明】
【０００８】
【図１】この発明の、実施形態を示す斜視図である。
【図２】この発明の、肉筋切り調理器具の側面図である。
【図３】従来技術を示す斜視図である。
【発明を実施するための形態】
【０００９】以下、この発明を図の具体例を用いて詳細に説明する。
【実施例１】
【００１０】  この発明の実施の形態を、図１に示す。この図は、ハンドル４を持ち、食肉６上を、ローラー面３から突起させて多数取付けた、先端が鋭利な肉筋切り刃１をローラー２回転移動させて、食肉６の肉筋切り調理状況の実施形態図である。この発明の肉筋切り調理器具は、ローラー面３から突起させて多数取付けた先端が鋭利な肉筋切り刃１を、食肉６上でローラー２を回転移動させることにより、連続した肉筋切り処理動作で、短時間に精度よく食肉６の肉筋切り調理ができる、肉筋切り調理器具である。
図３は、従来技術である一回当りの肉筋切り処理範囲が狭い、包丁７にて食肉６の肉筋切り調理を行う、肉筋切り調理法の斜視図である。
【符号の説明】
【００１１】１  肉筋切り刃
２  ローラー
３  ローラー面
４  ハンドル
５  手
６  食肉
７  包丁
【図１】
2013184051.tif 000003
【図２】
2013184051.tif 000004
【図３】
2013184051.tif 000005
(57)【要約】【課題】梅の種を割る器具を提供する。【解決手段】コの字型の、上部横水平に伸びる上部材（１）先端部に、ナット穴が縦垂直になるようナット（２）を設け、その設けたナット（２）に長ボルト（３）を挿し入れ、そして、同じコの字型の下部横水平に伸びる下部材（４）の端部の上部に平板（５）を設け、その設けた平板（５）表面にリング突起（６）を設け、そのリング突起（６）の輪を、上部のボルト（３）の下部先端部が中心となるように設けたことを特徴とする梅の種割り器。【選択図】図２
2013184048.tif 000002
【特許請求の範囲】
【請求項１】
コの字型の、上部横水平に伸びる上部材（１）先端部に、ナット穴が縦垂直になるようナット（２）を設け、その設けたナット（２）に長ボルト（３）を挿し入れ、そして、同じコの字型の下部横水平に伸びる下部材（４）の端部の上部に平板（５）を設け、その設けた平板（５）表面にリング突起（６）を設け、そのリング突起（６）の輪を、上部のボルト（３）の下部先端部が中心となるように設けたことを特徴とする梅の種割り器。
【発明の詳細な説明】
【技術分野】
【０００１】本発明は、梅の種を割る器具に関するものである。
【背景技術】
【０００２】梅干しを食べた後に、その梅干しの種をも割って食べている。
【発明の概要】
【発明が解決しようとする課題】
【０００３】梅の種を歯で割っているが梅の殻が固いので歯が痛い。又、無理に割ろうとすると歯が傷む心配がある。
以上の問題から本案は歯で割らずに、梅の種を割るようにしたものである。
【課題を解決するための手段】
【０００４】イ）コの字型の、上部横水平に伸びる上部材（１）先端部にナット穴が縦垂直になるようナット（２）を設ける。
ロ）その設けたナット（２）に長ボルト（３）を挿し入れる。
ハ）同じコの字型の、下部横水平に伸びる下部材（４）の端部の上部に平板（５）を設ける。
ニ）設けた平板（５）表面にリング突起（６）を設ける。
ホ）そのリング突起（６）の輪を、上部のボルト（３）の下部先端部が中心となるように設ける。
以上の構成からなる梅の種割り器である。
【発明の効果】
【０００５】固い梅の種が簡単に楽に割れる。
【図面の簡単な説明】
【０００６】
【図１】  本発明の側面図
【図２】  本発明の斜視図
【図３】  本発明の使用斜視図
【発明を実施するための形態】
【０００７】以下、本発明の実施の形態について説明する。
イ）コの字型の、上部横水平に伸びる上部材（１）先端部にナット穴が縦垂直になるようナット（２）を設ける。
ロ）その設けたナット（２）に長ボルト（３）を挿し入れる。
ハ）同じコの字型の、下部横水平に伸びる下部材（４）の端部の上部に平板（５）を設ける。
ニ）設けた平板（５）表面にリング突起（６）を設ける。
ホ）そのリング突起（６）の輪を、上部のボルト（３）の下部先端部が中心となるように設ける。
以上のような構成でこれを使用する時は、梅の種をリング突起（６）の輪の中に置く。そして上部ボルト（３）を下方に回し下ろして梅の種を挟み、ボルト（３）を回し締めると種が割れる。そして種が割れたらボルト（３）を上方に上げ、そして、割れた種の中身を食することが出来る。
【符号の説明】
【０００８】１上部材
２ナット
３ボルト
４下部材
５平板
６リング突起
【図１】
2013184048.tif 000003
【図２】
2013184048.tif 000004
【図３】
2013184048.tif 000005
(57)【要約】【課題】  本発明は、レザー張りのソファー、皮靴、皮のかばん、ゴルフバッグ、皮のベルト、グローブ等のほこりや汚れを取ることができる皮用クリーナーを提供する。【解決手段】  容器に取り出し口を設け、取り出し口にふたを設け、シートにクリーナーをしみ込ませた皮用のクリーナーを形成し、皮用のクリーナーを容器に挿入したことを特徴とする汚れを落とす皮用クリーナー。【選択図】図１
2013184042.tif 000002
【特許請求の範囲】
【請求項１】
容器に取り出し口を設け、取り出し口にふたを設け、シートにクリーナーをしみ込ませた皮用のクリーナーを形成し、皮用のクリーナーを容器に挿入したことを特徴とする汚れを落とす皮用クリーナー。
【発明の詳細な説明】
【技術分野】
【０００１】  本発明は、レザー張りのソファー、皮靴、皮のかばん、ゴルフバッグ、皮のベルト、グローブ等のほこりや汚れを取ることができる皮用クリーナーに関するものである。
【背景技術】
【０００２】  従来、皮製品のホコリや汚れを落とすにはチューブ入りのクリームを布につけて拭き取らねばならなかった。
【先行技術文献】
【特許文献】
【０００３】
【特許文献１】  特開２００１−３３０９３１号公報
【発明の概要】
【発明が解決しようとする課題】
【０００４】  そのために、次のような問題点がある。
従来、チューブ入りのクリームをわざわざ布につけて拭き取らねばならなかった。
本発明は、以上の問題点を解決するためのものである。
【課題を解決するための手段】
【０００５】  上記問題点を解決するため、本発明はクリーナーをシート状に形成することを特徴とするクリーナーである。
【発明の効果】
【０００６】  本発明により、わざわざ布にクリーナーをつけなくても、手軽にシートを取り出し汚れを落とすことができる。
本発明は大・中・小のサイズの皮用のクリーナーを作り、レザー張りのソファー、ゴルフバッグ、皮のかばん、グローブ、ベルト等用途に合わせて使うことができる。
【図面の簡単な説明】
【０００７】
【図１】  本発明の斜視図である。
【図２】  本発明の使用状態を示した斜視図である。
【発明を実施するための形態】
【０００８】  以下本発明の実施の形態について説明する。
（イ）容器（１）に取り出し口（３）を設け、取り出し口（３）にふた（２）を設ける。
（ロ）シートにクリーナーをしみ込ませた皮用のクリーナー（４）を形成する。
（ハ）皮用のクリーナー（４）を容器（１）に挿入する。
本発明は以上のように構成された皮用のクリーナーである。
本発明は大・中・小のサイズの皮用のクリーナーを作り、レザー張りのソファー、ゴルフバッグ、皮のかばん、グローブ、ベルト等用途に合わせて使うことができる。
本発明は皮用のクリーナー（４）を容器（１）から取り出して、皮製品（５）、たとえば、靴などの表面の汚れを落とすことができる。
容器（１）のふた（２）をシールで閉じる。
皮用のクリーナー（４）は使い捨てになる。
【符号の説明】
【０００９】１  容器
２  ふた
３  取り出し口
４  皮用のクリーナー
５  皮製品
【図１】
2013184042.tif 000003
【図２】
2013184042.tif 000004
(57)【要約】【課題】主に陶器製の洗面台等を清掃するための清掃具であって、繰り返し使用可能で、曲部部分や細かい隙間部分の清掃が容易である清掃具の提供を目的とするものである。【解決手段】不織布、織物、フィルムの基布表面に樹脂でガラスビーズを付着させたものである。【選択図】なし【特許請求の範囲】
【請求項１】
不織布、織物、フィルムの基布の表面に樹脂でガラスビーズを付着させたことを特徴とする清掃具。
【発明の詳細な説明】
【技術分野】
【０００１】本発明品は、各種の物品を清掃するための清掃具であり、特に陶器製の洗面台やトイレ便器の水アカを除去する清掃具に関するものである。
【背景技術】
【０００２】従来から、陶器製の洗面台やトイレ便器の清掃具として微粒子研磨材を含んだクリーナーや化学繊維を用いた洗浄具が知られている。【０００３】洗浄布の場合は、液体やクレンザーを併用して使用するものが多い。
【発明の概要】
【発明が解決しようとする課題】
【０００４】従来の清掃具は、微粒子研磨材を樹脂に含ませて固めたものや、化学繊維の不織布や、シート状の表面に塗布したものが多く、使用ごとに磨耗し効果がなくなると買い換えの必要があった。【０００５】特に酸化アルミナ等の鉱物系研磨材は表面を傷つけてしまうため使用できなかった。【０００６】また、化学繊維を用いた洗浄布では表面にこびりついた、水アカ等のガンコな汚れまでは落とせなかった。【０００７】サンドペーパーは、耐久性に乏しく、使い捨ての用途が多く、繰り返しの使用には不向きである。【０００８】そこで本発明は、家庭用の清掃具としては用いられていなかった、ガラスビーズを不織布、織物、フィルムの基布に塗布加工したものを清掃具として使用することにより、繰り返し使用できる洗浄具を提供することを目的とするものである。
【課題を解決するための手段】
【０００９】本発明は、以上の課題を解決するためになされたものであって、その要旨は、不織布、織物、フィルムの基布表面に、樹脂でガラスビーズを付着させることにより、清掃具として使用できる。【００１０】また、不織布、織物、フィルムの基布を使用することにより折り曲げを容易にすることができ、曲面部分や細かい隙間部分も清掃することができる。
【発明の効果】
【００１１】発明のガラスビーズを用いた洗浄具は、球状のガラスビーズを使用することにより効率的に汚れを落とし繰り返し使用できるので、かき落とし効果、経済的に優れたものになる。
【発明を実施するための形態】
【００１２】ガラスビーズは、球状のものとする。
【００１３】直径は、ガンコな水アカ落としに使用する場合は１００〜４５０μｍ程度とし、ソフトな汚れ落としには１００μｍ以下とする。
【００１４】基布に使用する不織布、織物、フィルムの厚みは５ｍｍ以下とし、材質は、アクリル、ポリプロピレン、ポリエステル、ポリエチレン、ナイロン、レーヨン等が考えられ、ガラスビーズの接着は、樹脂による吹きつけや含浸による接着が考えられる。
【００１５】本発明は、シート状の単独で使用しても良いし、発泡ポリエチレン、発泡ポリウレタンフォーム、他の性質の異なった不織布やテキスタイル等の生地状のものと貼り合せて使用しても良い。
【００１６】貼り合わせ方法については、接着剤を用いても良いし、熱プレス等で融着させても良い。
【００１７】また、この清掃具を使用する際に、樹脂性のヘラや棒状の補助具と併用することも考えられる。
(57)【要約】【目的】  双六ゲームを進化させ、人生の多様性や意外性をゲームに表現し、もっと面白いものにしようとするもの。【構成】  格子状のゲームマット１に、ＡＢＣＤに色分けた選手サイコロ５をスタート桝４からゴール桝２まで、競争して到達させる双六ゲームである。  順に、選手サイコロ５の目を定め、振りサイコロ６を振る。出た目で上目は、斜め４方のうち１方へ、側面は目の方へ１歩づつ進む。下目は休む。ラッキー桝３と相手に当たると、８方のうち１方へもう１歩進める。他のゴール桝２と桝外に出た場合は、反対側に１歩退く。このようにして、１番に上がった者へ４番の者が３枚、２番の者へ３番の者が１枚のコインを渡し、１０枚のコインが２枚になった時点でゲーム終了、順位を決める。選択と決断、運不運を占うゲーム。【選択図】図１
2013184049.tif 000002
【特許請求の範囲】
【請求項１】
格子状に線を引いたゲームマット上に、選手に見立て、色で識別されたサイコロを数個置いて、別の振りサイコロを振って、出た目によって進路を決断しながら、各々のサイコロを移動させる双六ゲーム。
【発明の詳細な説明】
【発明の詳細な説明】
この発明は、格子状に線を引いたゲームマット上に、選手に見立て色分けした選手サイコロ４個をスタート桝に置き、別の振りサイコロを順番に振り、出た目によって方向を決め１歩づつ進み、途中、ラッキー桝や他の選手サイコロに遭遇しながら、ゴール桝に早く到達させる双六ゲームである。
従来の双六ゲームは、決められた道を、前進するか、後退するか、そこに止まるかなど、サイコロの出た目に合わせて動くだけで、単純かつ簡単で面白味が少ないゲームであった。
本発明はその欠点を除き、楽しい双六ゲームとしたもので、これを図面について説明すると
（イ）縦横７桝づつ、計４９桝ある、格子状のゲームマット１をつくる。
（ロ）ゴール桝２は、ゲームマット１の四隅の４個とし、それぞれ４種の色ＡＢＣＤを着色して示す。
（ハ）ラッキー桝３は、マット中心部の桝と、左右上下辺部の各中心の４個の桝合わせて５個の桝とし、大きく丸印を書きあらわす。
（ニ）スタート桝４は、中心ラッキー桝３の斜め４方の４桝とし、各々の位置は、各ゴール桝２の対角線上で、中央ラッキー桝３を越えた位置とし、各々の４種の色ＡＢＣＤを枠塗りして目印とする。
（ホ）各選手に見立てた４個の選手サイコロ５は、サイコロの目が見えるように、４種の色ＡＢＣＤを薄く着色して識別する。
（ヘ）振りサイコロ６は、散逸を防ぎ、振りやすくするため、大きな蓋の透明な瓶に１個入れて使用する。
（ト）コイン７は、勝敗を決め順位を判り易くするため、各１０枚づつ配る。
このように構成されており、次の要領でゲームを実施する。
（イ）２〜４人で遊べ、振りサイコロ６で、各々の色と順番を決める。
（ロ）自分の選んだ色の選手サイコロ５を、同じ色のスタート桝４に置く。置く時の目は任意でよい。
（ハ）順番になったら、自分の選手サイコロ５の目を、予想を立てて置き直してから、振りサイコロ６を振り、出た目によって、自分の選手サイコロ５を１歩進める。
（ニ）出た目が、自分の選手サイコロ５の上面と同じなら、斜め４方のいずれかを決め１方へ、側面の前面なら前に、後面なら後へ、右面なら右へ、左面なら左へ１歩進める。相手のゴール桝２に入る場合と桝外に出る場合は、反対方向に１歩後退する。下面が出たらそのまま休みとする。
（ホ）ラッキー桝３に入ったら、８方のいずれか１方を決めもう１歩進む。
（ヘ）進むべき桝に相手の選手サイコロ５がある場合は、そこをラッキー桝３と同様に考え、８方のいずれか１方を決めもう１歩進む。さらに、進んだところに別の相手の選手サイコロ５がある場合も同様とする。
（ト）３人がゴールした段階で１セットが終る。予め１０枚づつ配ったコイン７を、１番に上がった者へ４番の者が３枚、２番の者へ３番の者が１枚渡す。
（チ）誰か１人、コイン７が３枚以下になった段階で、１ゲーム終りとし、そのとき持っているコインの枚数で順位を決める。
以上のように、４人以下で双六ができるこのゲームは、従来の双六とは違い、常に多くの選択と決断があり、道なき道を１歩づつ進み、さらに、ラッキー桝３の出現や相手選手サイコロ５の支援にあうなど、物語性や運不運など多様性や意外性があり、サイコロの不確実性に相乗された面白い双六ゲームである。
【図面の簡単な説明】
【図１】本発明の斜視図である。
【符号の説明】１はゲームマット
２はゴール桝
３はラッキー桝
４はスタート桝
５は選手サイコロ
６は振りサイコロ
７はコイン
【図１】
2013184049.tif 000003
(57)【要約】【課題】使い捨てマスクを使うときの不快感と、見た目の悪さを改善した使い捨てマスク用カバーを提供する。【解決手段】使い捨てマスクの半分のサイズの裏部分２と横幅をマスクより長くした表部分１からなる、布の本体を、マスク５を挟むように折り返し線４を折り、表面と裏面をマジックテープもしくはスナップなど３で止めて、マスクとカバーがずれないように固定する。【選択図】図３
2013184043.tif 000002
【特許請求の範囲】
【請求項１】
使い捨てマスクを覆い肌触りと見た目を改善した、布で出来た使い捨てマスク用カバー。
使い捨てマスクの半分のサイズの裏部分と、折り返すためマスクより横幅を長くした表部分からなる布の、折り返し線を折ってマスクを挟み、表面と裏面をマジックテープもしくはスナップなどで止め、マスクとカバーがずれないように固定した使い捨てマスク用カバー。
【発明の詳細な説明】
【技術分野】
【０００１】  この発明は、使い捨てマスクを使うときの不快感と、見た目の悪さを改善する使い捨てマスク用カバーである。
【背景技術】
【０００２】  近年、ウィルス、風邪、花粉、粉塵、ほこりなどを吸い込まないよう、使い捨てマスクが多くつかわれ、役立っている。
しかし、使い捨てマスクはポリプロピレン、ポリエチレンなどを使った不織布であるためやや硬く、不快に感じる。
さらに目の下からすっぽり顔を覆うため個性が消え、見た目も良くない。
【発明が解決しようとする課題】
【０００３】  使い捨てマスクを使う際に肌触りが良く、見た目も良くなるような使い捨てマスク用カバーを提供する。
【課題を解決するための手段】
【０００４】  使い捨てマスクの半分のサイズの裏面で肌ざわりの良い布を使用し、表面は布そのものやまたその布にレースやビーズなどで装飾して見た目を美しくする。表面になる部分の横幅をマスクより長くしマスクを挟むように折り、表面と裏面をマジックテープもしくはスナップなどで止めて、マスクとカバーがずれないようにする。
【発明効果】
【０００５】  この発明は、多くつかわれ役立っている使い捨てマスク使用時のやや硬い不快感をふせぎ、さらに見た目も良くする。
【図面の簡単な説明】
【０００６】
【図１】  使い捨てマスク用カバーを開いた状態
【図２】  使い捨てマスク用カバーを開いてマスクを乗せた状態
【図３】  使い捨てマスク用カバーをマスクに乗せ閉じた状態
【図４】  使い捨てマスク用カバーをマスクに乗せ閉じた裏の状態
【発明を実施するための最良の形態】
【０００７】  使い捨てマスクの半分のサイズの裏部分２と横幅をマスクより長くした表部分１からなる、布の本体を、マスク５を挟むように折り返し線４を折り、表面と裏面をマジックテープもしくはスナップなど３で止めて、マスクとカバーがずれないように固定する。
【符号の説明】
【０００８】１  肌触りの良い布に装飾した本体表部分
２  肌触りの良い布で出来た本体裏部分
３  マジックテープもしくはボタンなど固定できるもの
４  折り返し線
５  使い捨てマスク
【図１】
2013184043.tif 000003
【図２】
2013184043.tif 000004
【図３】
2013184043.tif 000005
【図４】
2013184043.tif 000006
(57)【要約】【課題】スポーツ道具でスイングする際、スイングしているスポーツ道具がいつどの辺りでトップスピードに達しているのかをスイングしている本人が正確で容易に確認できるスポーツ道具を提供する。【解決手段】ボールを打撃するスポーツに用いられる、ラケットやゴルフクラブ、バット等（以下、「スポーツ道具」という）において、スポーツ道具（１）をスイングしている本人がスイングのトップスピードがいつ、どの辺りにあるかを確認できるように、スポーツ道具の先端（２）に風圧により音がでる笛状の筒（３）を設けたことを特徴とする。【選択図】図１
2013184039.tif 000002
【特許請求の範囲】
【請求項１】
ボールを打撃するスポーツに用いられる、ラケットやゴルフクラブ、バット等（以下、「スポーツ道具」という）において、スポーツ道具（１）をスイングしている本人がスイングのトップスピードがいつ、どの辺りにあるかを確認できるように、スポーツ道具の先端（２）に風圧により音がでる笛状の筒（３）を設けたことを特徴とするスポーツ道具。
【発明の詳細な説明】
【発明の詳細な説明】
【技術分野】
【０００１】  この発明はスポーツの練習時、スポーツ道具をスイングしている本人が、風圧により音が出る笛状の筒からでる音により、スポーツ道具スイング時、トップスピードの瞬間がいつであるかを確認することを可能にしたスポーツ道具に関するものである。
【背景技術】
【０００２】  従来、なかった。
【発明が解決しようとする課題】
【０００３】  従来には次のような欠点があった。
スポーツ道具をスイングする際、スイングしているスポーツ道具がどの辺りでトップスピードに達しているのかを確認するには、ビデオ撮影や、他者による目視、または人それぞれの感覚によるおおよその確認しかできなかった。
【課題を解決するための手段】
【０００４】  ボールを打撃するスポーツに用いられる、ラケットやゴルフクラブ、バット等（以下、「スポーツ道具」という）において、スポーツ道具（１）をスイングしている本人がスイングのトップスピードがいつ、どの辺りにあるかを確認できるように、スポーツ道具の先端（２）に風圧により音がでる笛状の筒（３）を設けたことを特徴とするスポーツ道具。
【発明を実施するための形態】
【０００５】以下本発明の実施の形態を説明する。
従来のスポーツ道具（１）の先端（２）に風圧により音が出る笛状の筒（３）を設ける。本発明は以上のような構成で、これを使用するには、例えば従来と同様のスポーツのスイング練習時を行い、スイング時に風圧により音が出る笛状の筒（３）が出す音の種類や高さで、スイングしている本人がスイングのトップスピードがスイング時のいつであったかを確認する。
【発明の効果】
【０００６】  従来と同様のスポーツのスイング練習時において、スポーツ道具をスイングしている本人がスイングのトップスピードがスイング時のいつであったかを確認でき、それにより、スポーツ道具がトップスピードに達しているときにボールを打撃する瞬間を合わせる等、スポーツ道具をスイングしている本人が自分一人で正確で容易なスイング練習が可能となる。
【図面の簡単な説明】
【図１】  本発明の正面図である。
【図２】  本発明の拡大正面図である。
【図３】  本発明の拡大上面図である。
【図４】  本発明の斜視図である。
【符号の説明】（１）スポーツ道具
（２）先端
（３）風圧により音が出る笛状の筒
【図１】
2013184039.tif 000003
【図２】
2013184039.tif 000004
【図３】
2013184039.tif 000005
【図４】
2013184039.tif 000006
(57)【要約】【課題】摩擦が少ないので、よれたりたわむ事なく備えたり出したりが、スムーズに出来るトイレットペーパー予備ホルダーカバーを提供する。【解決手段】プラスチックの四角い板を設け該板の背面四隅四箇所に吸盤やネオジム磁石ないし、接着剤を設け、板の前面中央横向きのプラスチックの筒の両端を喇叭状に成型し、該筒の前面中央横方向に幅四センチ程できり抜きを施したものを固定し設けたことを特徴とするトイレットペーパー予備ホルダーカバー。【選択図】図１
2013184033.tif 000002
【特許請求の範囲】
【請求項１】
プラスチックの四角い板を設け、該板の背面四隅四箇所に吸盤やネオジム磁石ないし接着剤を設け、板の前面中央横向きにプラスチックの筒の両端を喇叭状の成型し該筒の前面中央横方行に幅四センチ程で切り抜きを施したものを固定し設けたことを特徴とするトイレットペーパー予備ホルダーカバー。
【発明の詳細な説明】
【技術分野】
【０００１】本発明は、トイレットロールペーパーを予め備えて置く為のトイレットペーパーの予備ホルダーカバーに関するものである。
【背景技術】
【０００２】従来、織った布やビニール樹脂製のトイレットホルダーカバーがあった。
【先行技術文献】
【０００３】
【特許文献１】
【特許文献２】
【発明の概要】
【発明が解決しようとする課題】
【０００４】その為、次のような問題があった。
（イ）ホルダーカバーを押し広げて入れなければならないもどかしさがあった。
（ロ）ゴワゴワ摩擦するし、よじれやすいのでトレットロールを備えづらかった。
本発明は、これらの問題点を解決するためになされたものである。
【課題を解決する為の手段】
【０００５】プラスチックの四角い板を設け、該板の背面四隅四箇所に吸盤やネオジム磁石ないし接着剤を設け板の前面中央横向きのプラスチックの筒の両端を喇叭状に成型し該筒の前面中央横方向の幅四センチほどで切り抜きを施したものを固定し設ける。
以上を特徴とするトイレットペーパー予備ホルダーカバーである。
【発明効果】
【０００６】摩擦が少ないので、よれたり、たわむ事がなく備えたり出したりが素早く出来る。
【図面の簡単な説明】
【０００７】
【図１】本発明の断面図
【図２】本発明の前面断面図
【発明を実施する為の形態】
【０００８】以下、本発明の実施の形態について説明する。
（イ）プラスチックの四角い板（１）を設け、該板の背面四隅四箇所に吸盤（２）やネオジム磁石（３）ないし接着剤（４）を設ける。
（ロ）プラスチック板（１）の表面中央横向きプラスチックの筒（５）の両端を喇叭状（６）に成型し取り付け設ける。
（ハ）プラスチック筒（５）前面中央横方向に四センチほどの切り抜き（７）を設けてプラスチックの筒（５）の内側底中央両サイドに凸起（８）を設ける。
本発明は以上のような構成で、これを使用するときはプラスチックの四角い板（１）の背面四隅四箇所に壁面固定用の吸盤（２）やネオジム磁石（３）ないし接着剤（４）により壁面の的確な位置に固定してプラスチックの四角い板（１）の前面横方向にプラスチックの筒（５）の両端が喇叭状（６）の成型と前面中央横方向に四センチほどの切り抜き（７）を施して固定してあるのでトイレットロールを摘んで挿入し取り出すことがスムーズに出来る。
【符号説明】
【０００９】１  プラスチックの四角い板
２  吸盤
３  ネオジム磁石
４  接着剤
５  プラスチックの筒
６  喇叭状
７  切り抜き
８  凸起
９  トイレットロール
【図１】
2013184033.tif 000003
【図２】
2013184033.tif 000004
(57)【要約】      （修正有）【課題】ファイル・ＤＶＤ・ＣＤ・本・カタログ等の増減を自由に調整することが出来、尚且つ収納範囲が収納範囲以上になった場合でも容易に収納できる卓上スタンドを提供する。【解決手段】左側板１に左底板２と左背板３を組上げたものと、右側板４に右底板５と右背板６を組上げたものを櫛部に勘合させ収納物の容量によって調整出来るようにした。また、収納範囲以上になった場合、左底板２と左背板３の櫛先端に底板接続バー７と背板接続バー８を接続したり取外す事により収納容量が自由に調整できるようにした。【選択図】図２
2013184035.tif 000002
【特許請求の範囲】
【請求項１】
側板と底板と背板が相互にＬ型をなす様に形成された左片と右片を、左右対称に向い合わせに配置した卓上スタンドに於いて、底板と背板は櫛型形状に形成され、かつ、櫛歯と櫛歯間の隙間がとの大きさが相当し、左右対称に櫛歯同士が噛合う様に形成され、左右の中央部でスタンド左片とスタンド右片に分離されることが出来、それぞれの櫛歯の先端には止め穴が形成され、この様に形成されたスタンド左片とスタンド右片の両片は、両端に止め穴と止めツメを設けた背板接続バー及び底板接続バーによって、自由に連結され、かつ、背板接続バー及び底板接続バーの連結数を必要に応じて自由に増減させれば、スタンド左片とスタンド右片との間隔を自由にいくらでも増減させることが出来る。
以上を特徴とする伸縮自在卓上スタンド。
【発明の詳細な説明】
【技術分野】
【０００１】  本発明は、ファイル・ＤＶＤ・ＣＤ・本・カタログ等の整理をするスタンドで仕切り板の位置を変えることなく変えられる。又、接続バーを接続したり取りはすことで伸縮が出来る伸縮自在卓上スタンドに関するものである。
【背景技術】
【０００２】  従来の伸縮式のスタンドは、両側板とスライド可能な底板を組合せ収納に応じて両側板の間隔をスライド調整できる構造で構成されている。【０００３】しかしながら、収納範囲が最大スライド幅しか出来ない欠点があった。
【先行技術文献】
【０００４】
【特許文献１】  特開２００７−３１９６２７号公報
【発明の概要】
【発明が解決しようとする課題】
【０００５】  本発明は、以上のような従来の欠点である収納範囲が製作されたスライド幅の範囲しか収納できない問題があった。
本発明は、以上の問題を解決するためになされたものである。
【発明が解決するための手段】
【０００６】  側板と底板と背板が相互にＬ型をなす様に形成された左片と右片を、左右対称に向い合わせに配置した卓上スタンドに於いて、底板と背板は櫛型形状に形成され、かつ、櫛歯と櫛歯間の隙間がとの大きさが相当し、左右対称に櫛歯同士が噛合う様に形成され、左右の中央部でスタンド左片とスタンド右片に分離されることが出来、それぞれの櫛歯の先端には止め穴が形成され、この様に形成されたスタンド左片とスタンド右片の両片は、両端に止め穴と止めツメを設けた背板接続バー及び底板接続バーによって、自由に連結され、かつ、背板接続バー及び底板接続バーの連結数を必要に応じて自由に増減させれば、スタンド左片とスタンド右片との間隔を自由にいくらでも増減させることが出来る。
以上を特徴とする伸縮自在卓上スタンド。
【発明の効果】
【０００７】  スタンドの幅は、右底板と左底板及び右背板と左背板をスライドさせ収納の幅に合わせることが出来きる。また収納範囲以上になった場合、左底板及び左背板に底板接続バーと背板接続バーを接続することにより収納範囲が接続バーの幅だけ多く収納できる。
【図面の簡単な説明】
【０００８】
【図１】本発明を左右に分離した状態を示す斜視図
【図２】本発明の斜視図
【発明を実施するための形態】
【０００９】  以下、本発明の形態を図に基づいて説明する。
側板と底板と背板が相互にＬ型をなす様に形成された左片と右片を、左右対称に向い合わせに配置した卓上スタンドに於いて、底板と背板は櫛型形状に形成され、かつ、櫛歯と櫛歯間の隙間がとの大きさが相当し、左右対称に櫛歯同士が噛合う様に形成され、左右の中央部でスタンド左片とスタンド右片に分離されることが出来、それぞれの櫛歯の先端には止め穴が形成され、この様に形成されたスタンド左片とスタンド右片の両片は、両端に止め穴と止めツメを設けた背板接続バー及び底板接続バーによって、自由に連結され、かつ、背板接続バー及び底板接続バーの連結数を必要に応じて自由に増減させれば、スタンド左片とスタンド右片との間隔を自由にいくらでも増減させることが出来る。
以上を特徴とする伸縮自在卓上スタンド。
本発明は以上の構成で、これを実際使用する時には以下のようにする。
【００１０】  図１は、左側板（１）と左底板（２）と左背板（３）をＬ型をなす様に形成した左片の左底板（２）に底板接続バー（７）を接続、左背板（３）に背板接続バー（８）を接続し、右側板（４）と右底板（５）と右背板（６）をＬ型をなす様に形成した右辺を向い合わせに配置した。
構造の左右に分離した状態を示す斜視図である。
【００１１】  図２は、本発明を使用するときファイル・ＤＶＤ・ＣＤ・本・カタログ等の整理をするスタンドで収納範囲以上になった場合、左底板（２）に底板接続バー（７）と左背板（３）に背板接続バー（８）に連結数を必要に応じて自由に増減した。
構造の斜視図である。
【符号の説明】
【００１２】１  左側板
２  左底板
３  左背板
４  右側板
５  右底板
６  右背板
７  底板接続バー
８  背板接続バー
９  止め穴
１０  止めツメ
【図１】
2013184035.tif 000003
【図２】
2013184035.tif 000004
(57)【要約】【課題】地震での家具の揺れで、家具が壁側に大きく傾斜することにより、家具の転倒防止効果が大となる家具転倒防止具を提供ずる。【解決手段】  家具を載置する前面載置具２と背面載置具３とよりなり、該背面載置具３には家具６前面に引っ掛ける引っ掛け部５を形成した伸縮体４が固着されている。【選択図】図１
2013184037.tif 000002
【特許請求の範囲】
【請求項１】
家具を載置する前面載置具と背面載置具とよりなり、該背面載置具には一方に引っ掛け部を形成した伸縮体が固着されていることを特徴とする家具転倒防止具。
【発明の詳細な説明】
【技術分野】
【０００１】  本発明は、地震で家具の転倒を防止する、家具転倒防止具に関する。
【背景技術】
【０００２】  従来、家具の転倒防止対策で、家具を予め壁側に斜めに設置する方法としての家具転倒防止具は、家具前面の下に部分的に敷く家具転倒防止パッドや家具前面の下略全長に敷く長尺の家具転倒防止板が主流であった。
【発明の概要】
【発明が解決しようとする課題】
【０００３】  ところが、上記家具転倒防止具は、板厚が厚いと家具の壁側への傾斜が大きくなるため、家具下部を壁から離さなければならず、また傾斜が目立ち、見た目も良くなかった。【０００４】  このため、従来の家具前面に敷く家具転倒防止具は、厚さに限界があり、家具の傾斜も大きく取れず、地震による揺れに対して大きな効果を望めなかった。【０００５】  本発明は、斯かる事情に鑑みてなされたもので、従来の前記問題を一挙に解決することが出来る、家具の転倒防止に高い効果が得られる家具転倒防止具を提供することを目的としている。
【課題を解決するための手段】
【０００６】  家具を載置する前面載置具と背面載置具とよりなり、該背面載置具には一方に引っ掛け部を成形した伸縮体が固着されていることを特徴とする。
【発明の効果】
【０００７】  本発明によれば、家具前面下部には前面載置具を、家具背面下部には背面載置具を家具が安定する位置に敷き、背面載置具に固着されている伸縮体を家具前面に引き出し、引っ掛け部を家具前面の下部に掛止する。【０００８】  これにより、背面載置具は常に前面側に引っ張られているため、地震での家具の揺れにより家具が前倒し状になったとき、背面載置具が家具から外れ、家具の壁側への傾きが大きくなり、家具の前面側への転倒防止に非常に効果を発揮する。【０００９】  尚、家具転倒防止具の配置や個数は、家具が安定する配置及び個数で、限定されるものではない。【００１０】  また、背面載置具に固着されている伸縮体の引っ掛け部は家具前面に掛止しても前面載置具に掛止してもよい。
【図面の簡単な説明】
【００１１】
【図１】  本発明の家具転倒防止具の斜視図
【図２】  本発明の家具転倒防止具に家具を載せ家具の一部を破断した斜視図
【図３】  図２の背面載置具が家具から外れた状態を示す斜視図
【発明を実施するための形態】
【００１２】  本発明の実施の形態を、添付図面に例示した本発明の実施例に基づいて以下に具体的に説明する。
【００１３】  まず図１は、家具６が載置される状態で、家具転倒防止具１の前面載置具２と、背面載置具３とには伸縮体４が介在し、該伸縮体４の一端は背面載置具３に固着され、他端には引っ掛け部５が形成され、この引っ掛け部５が家具前面の下に敷かれる前面載置具２を介して家具６前面に掛止され、背面載置具３には常に前面方向に引っ張られる力が働いている。
【００１４】  つぎに図２について説明すると、家具６が家具転倒防止具１に載置され前面載置具２は家具６前面に当接する垂直面を成形している。この垂直面が家具１前面に当接していることにより背面側への移動を防ぐ。
【００１５】  また、伸縮体４の一方は引っ掛け部５を形成し、この引っ掛け部５が前面載置具２と家具６間を介して家具６前面に掛止されているため家具６背面側への移動を防止する。
【００１６】  このため背面載置具３は常に前面方向に引かれる力が働いていて地震での家具６の揺れで家具６が前面方向に傾斜すると家具６の下面が背面載置具３から離れ、このとき背面載置具３が家具６から外れ家具６が壁側に傾斜し前面に倒れるのを防ぐ。
【００１７】  図３は、背面載置具３が外れた状態で家具６が壁側に傾いている。このため前面に倒れにくくなり家具の転倒防止に非常に効果的である。
【００１８】  以上のように本発明の家具転倒防止具１は、家具６が安定する位置に前面載置具２と背面載置具３を配置し、この上に家具６を設置する。この前面載置具２と背面載置具３の高さが同じ場合、家具６は垂直に設置される。高さが高い程背面載置具３が外れたとき、家具６の壁側への傾斜が大きくなり前面の倒れを防ぐ効果が大きくなる。この背面載置具３には家具６前面に引っ掛け部５が掛止されいる伸縮体４が固着されているため、常に家具６前面方向に引っ張る力が働いている。地震による家具６の揺れで、家具６が前に傾いた場合背面載置具３が引っ張られ背面載置具３が家具６から外れる。またこの伸縮体４の引っ掛け部５は前面載置具２の上面と家具６の下部に挟まれ状態にあるため通常なんらかの衝撃を与えても下にずれることがなく外れることはない。
【符号の説明】
【００１９】１・・・家具転倒防止具
２・・・前面載置具
３・・・背面載置具
４・・・伸縮体
５・・・引っ掛け部
６・・・家具
【図１】
2013184037.tif 000003
【図２】
2013184037.tif 000004
【図３】
2013184037.tif 000005
(57)【要約】【課題】底の深いティッシュペーパーのケースでも最後の一枚まで余すことなく引き出すことが出来るティッシュペーパーの逆さ引き出しケースの設置台を提供する。【解決手段】四角い板を設け該板の裏側四隅四箇所にゴム脚を設け表面四角い板に繋がる上部に延びる板を両側に設け該両側の板に繋がる台座を設け該台座の底に長方形の穴を設けたことを特徴とするティッシュペーパーの逆さ引き出しケースの設置台。【選択図】図１
2013184034.tif 000002
【特許請求の範囲】
【請求項１】
四角い板を設け該板の裏側四隅四箇所にゴム脚を設け、表面四角い板に繋がる上部に延びる板を両側に設け該両側の板に繋がる台座を設け該台座の底に長方形の穴を設けたことを特徴とするティッシュペーパーの逆さ引き出しケースの設置台。
【請求項２】
請求項１記載のティッシュペーパーの逆さ引き出しケースの設置台において裏側にゴム脚の付いた表面四角い板に繋がる両側から上部に伸びる台座を支える板の代えて台座の背面の四角い板の裏側四隅四箇所に吸盤やネオジム磁石ないし接着剤を設けたことを特徴とするティッシュペーパーの逆さ引き出しケースの設置台。
【発明の詳細な説明】
【技術分野】
【０００１】本発明は、ティッシュペーパーを下から引き出す為の逆さ引き出し設置台に関するものである。
【背景技術】
【０００２】従来、ティッシュペーパーケースを台の上に置いたり側面に固定した設置台があった。
【先行技術文献】
【０００３】
【特許文献１】
【特許文献２】
【発明の概要】
【発明が解決しようとする課題】
【０００４】その為、次のような問題があった。
（イ）底の深いティッシュペーパーの場合引き出せずに取り残す事があった。
（ロ）専用のマグネットを取り寄せたりせねばならない事があった。
本発明は、これらの問題点を解決するためになされたものである。
【課題を解決する為の手段】
【０００５】四角い板を設け該板の裏面四隅四箇所にゴムの脚を設け表面四角い板に繋がる上部に延びる板を両側に設け、該両側の板に繋がる台座を設け、該台座の底に長方形の穴を設ける。
以上を特徴とするティッシュペーパーの逆さ引き出しケースの設置台である。
【発明効果】
【０００６】底の深いティッシュペーパーのケースでも最後の一枚まで余すことなく引き出すことが出来るのである。
【図面の簡単な説明】
【０００７】
【図１】本発明の斜視図
【図２】本発明の正面図
【図３】本発明の側面図
【図４】本発明の壁面固定用台正面図
【図５】本発明の壁面固定用台側面図
【発明を実施する為の形態】
【０００８】以下、本発明の実施の形態について説明する。
（イ）四角い板（１）を設け、該板の裏側四隅四箇所にゴム脚（２）を設け、表面四角い板（１）に繋がる上部に延びる板（３）を両側に設け該両側の板（３）に繋がる台座（４）を設け該台座の底に長方形の穴（５）を設ける。
（ロ）台座（４）に繋がる四角い板（６）を背面に設け、該板の両端に台座を支える板（７）を設け四角い板（６）の裏面四隅四箇所に吸盤（８）やネオジム磁石（９）ないし接着剤（１０）を台座固定用に設ける。
本発明は以上のような構成で、これを使用するときは台座（１）にティッシュペーパーケース（１１）を逆さまに設置して、ティッシュペーパーを下側から引き出す。
しかも底の深いティッシュペーパーケースでも最後の一枚まで余す事なく引き出す事が出来る。
【符号説明】
【０００９】  １  四角い板Ａ
２  ゴム脚
３  上部に延びる板
４  台座
５  長方形の穴
６  四角い板Ｂ
７  支える板
８  吸盤
９  ネオジム磁石
１０  接着剤
１１  ティッシュペーパーケース
【図１】
2013184034.tif 000003
【図２】
2013184034.tif 000004
【図３】
2013184034.tif 000005
【図４】
2013184034.tif 000006
【図５】
2013184034.tif 000007
(57)【要約】【課題】冷却枕において、後頭部を載せる枕部（１）と、前頭部を覆う前頭部冷却バンド（２）とを備え、内部には液状冷却剤（３）と、液状冷却剤を保持するビニール体（４）が内臓され、最外周部をタオル生地（５）で成形した冷却枕を提供する。【解決手段】後頭部を載せる枕部（１）と、前頭部を覆う前頭部冷却バンド（２）とを備え、内部には液状冷却剤（３）と、液状冷却剤を保持するビニール体（４）が内臓され、最外周部をタオル生地（５）で成形した冷却枕。【選択図】図１
2013184040.tif 000002
【特許請求の範囲】
【請求項１】
冷却枕において、後頭部を載せる枕部（１）と、前頭部を覆う前頭部冷却バンド（２）とを備え、内部には液状冷却剤（３）と、液状冷却剤を保持するビニール体（４）が内臓され、最外周部をタオル生地（５）で成形した冷却枕。
【発明の詳細な説明】
【発明の詳細な説明】
【技術分野】
【０００１】  この発明は後頭部を載せる枕部（１）と、前頭部を覆う前頭部冷却バンド（２）とを備え、内部には液状冷却剤（３）と、液状冷却剤を保持するビニール体（４）が内臓され、最外周部をタオル生地（５）で成形した冷却枕である。
【背景技術】
【０００２】  従来、頭部を冷却する場合、後頭部のみを冷却する冷却枕や、前頭部のみを冷却するシート状の冷却材等を用い併用していた。
【発明が解決しようとする課題】
【０００３】従来には次のような欠点があった。
（イ）後頭部のみを冷却する冷却枕や、前頭部のみを冷却するシート状の冷却材はそれぞれ冷却できる範囲は頭部の一部のみのでしかなかった。
（ロ）後頭部のみを冷却する冷却枕や、前頭部のみを冷却するシート状の冷却材は、頭部から外れ、冷却できていない事があった。
（ハ）頭部の前後を同時に冷却したい場合、後頭部のみを冷却する冷却枕と前頭部のみを冷却するシート状の冷却材を同時に併用するしかなかった。
【課題を解決するための手段】
【０００４】冷却枕において、後頭部を載せる枕部（１）と、前頭部を覆う前頭部冷却バンド（２）とを備え、内部には液状冷却剤（３）と、液状冷却剤を保持するビニール体（４）が内臓され、最外周部をタオル生地（５）で成形した冷却枕。
【発明を実施するための形態】
【０００５】  以下、本発明の実施の形態を説明する。
（イ）後頭部を載せる枕部（１）と、前頭部を覆う前頭部冷却バンド（２）と、内部には液状冷却剤（３）と、液状冷却剤を保持するビニール体（４）を内臓し、最外周部をタオル生地（５）で成形する。
本発明は以上のような構成で、これを使用するには、冷蔵庫や冷凍庫で好みの温度に冷却する。そして、寝ている人の頭部を後頭部を載せる枕部（１）に載せ、前頭部を覆う前頭部冷却バンド（２）を固定する。
すると、液状冷却剤が維持している温度にて頭部を前後共に冷却することができる。
【発明の効果】
【０００６】  枕部（１）と前頭部冷却バンド（２）が連結されているため、頭部からずれ難く冷却効果が高いため、風邪やその他病気の治療を効果的におこなうことができる。
【図面の簡単な説明】
【図１】  冷却枕の正面図である。
【図２】  本発明の使用状態の正面図である。
【図３】  本発明の枕部（１）の断面図である。
【図４】  本発明の前頭部冷却バンドの断面図である。
【符号の説明】（１）枕部
（２）前頭部冷却バンド
（３）液状冷却剤
（４）ビニール体
（５）タオル生地
【図１】
2013184040.tif 000003
【図２】
2013184040.tif 000004
【図３】
2013184040.tif 000005
【図４】
2013184040.tif 000006